(57)【要約】【課題】  低背化を実現しつつ、大きな嵌合ずれを吸収して、コネクタの自動組立等に於いても正しい位置で嵌合することのできるコネクタ及び携帯端末を提供する。【解決手段】  絶縁部材からなるプラグ本体、及び、プラグ本体に保持された少なくとも１以上のプラグコンタクト、を有するプラグコネクタと、絶縁部材からなりプラグコネクタが挿抜される差込溝が設けられたリセプタクル本体、及び、差込溝にプラグコネクタが挿入されたときにプラグコンタクトに接触導通するようにリセプタクル本体に保持された少なくとも１以上のリセプタクルコンタクト、を有するリセプタクルコネクタと、を備えたコネクタであって、差込溝は、リセプタクル本体の中央に設けられた略直方体形状を備えた島部と、島部の外側面に沿って形成された壁部と、の間に凹設され、島部の上面の４つの稜角は、島部の上面から下方へ向かうにつれて壁部に近づく傾斜面をなすように切除され、上下方向に延びる外側面に連なる。【選択図】  図４
2007018993.tif 000002
【特許請求の範囲】
【請求項１】
絶縁部材からなるプラグ本体、及び、前記プラグ本体に保持された少なくとも１以上のプラグコンタクト、を有するプラグコネクタと、絶縁部材からなり前記プラグコネクタが挿抜される差込溝が設けられたリセプタクル本体、及び、前記差込溝に前記プラグコネクタが挿入されたときに前記プラグコンタクトに接触導通するように前記リセプタクル本体に保持された少なくとも１以上のリセプタクルコンタクト、を有するリセプタクルコネクタと、を備えたコネクタであって、
前記差込溝は、前記リセプタクル本体の中央に設けられた略直方体形状を備えた島部と、前記島部の外側面に沿って形成された壁部と、の間に凹設され、
前記島部の上面の４つの稜角は、前記島部の上面から下方へ向かうにつれて前記壁部に近づく傾斜面をなすように切除され、上下方向に延びる前記外側面に連なることを特徴とするコネクタ。
【請求項２】
前記プラグ本体は、前記プラグコネクタの挿抜方向に沿って前記リセプタクルコネクタ側へ突出した少なくとも２つの案内部を備え、前記案内部は、それぞれ、前記プラグ本体から突出するにしたがって互いに近づくように形成された案内傾斜面を少なくとも２つ有し、前記リセプタクル本体は、前記プラグコネクタを前記リセプタクルコネクタに挿入したときに、前記案内部をその内部にそれぞれ案内する少なくとも２つの誘い込み凹部を備え、前記誘い込み凹部は、それぞれ、前記プラグコネクタを前記リセプタクルコネクタに挿入したときに、前記案内傾斜面をそれぞれ案内するように設けられた少なくとも２つの誘い込み傾斜面を備える請求項１記載のコネクタ。
【請求項３】
前記誘い込み傾斜面は前記傾斜面を含む請求項２記載のコネクタ。
【請求項４】
前記壁部は、その上面へ向かうにつれて、対向する壁部から離間するように形成された壁部案内傾斜面を備えている請求項１〜３のいずれか１項記載のコネクタ。
【請求項５】
前記島部の傾斜面と前記外側面とが連接する稜線は、直線状である請求項１〜４のいずれか１項記載のコネクタ。
【請求項６】
前記島部の傾斜面と前記外側面とが連接する稜線は、円弧状である請求項１〜４のいずれか１項記載のコネクタ。
【請求項７】
絶縁部材からなるプラグ本体、及び、前記プラグ本体に保持された少なくとも１以上のプラグコンタクト、を有するプラグコネクタと、絶縁部材からなり前記プラグコネクタが挿抜される差込溝が設けられたリセプタクル本体、及び、前記差込溝に前記プラグコネクタが挿入されたときに前記プラグコンタクトに接触導通するように前記リセプタクル本体に保持された少なくとも１以上のリセプタクルコンタクト、を有するリセプタクルコネクタと、を備えたコネクタであって、
前記プラグ本体は、前記プラグコネクタの挿抜方向に沿って前記リセプタクルコネクタ側へ突出した少なくとも２つの案内部を備え、
前記案内部は、それぞれ、前記プラグ本体から突出するにしたがって互いに近づくように形成された案内傾斜面を少なくとも２つ有し、
前記リセプタクル本体は、前記プラグコネクタを前記リセプタクルコネクタに挿入したときに、前記案内部をその内部にそれぞれ案内する少なくとも２つの誘い込み凹部を備え、
前記誘い込み凹部は、それぞれ、前記プラグコネクタを前記リセプタクルコネクタに挿入したときに、前記案内傾斜面をそれぞれ案内するように設けられた少なくとも２つの誘い込み傾斜面を備えることを特徴とするコネクタ。
【請求項８】
前記差込溝は、前記リセプタクル本体の中央に設けられた島部と、前記島部の外側面に沿って形成された壁部と、の間に凹設され、前記誘い込み傾斜面は、前記島部の外側面と、この外側面に対向する前記壁部の内壁面に形成されている請求項７記載のコネクタ。
【請求項９】
前記島部の外側面の誘い込み傾斜面は、前記島部の上面の４つの稜角を、前記島部の上面から下方へ向かうにつれて前記壁部に近づく傾斜面をなすように切除し、上下方向に延びる前記外側面に連なるように形成されている請求項８記載のコネクタ。
【請求項１０】
前記リセプタクル本体の底部に対する前記島部の上面の高さは、前記壁部の上面の高さよりも、小さい請求項８又は請求項９記載のコネクタ。
【請求項１１】
前記案内部は、プラグコネクタの挿抜方向直交断面が点対称形状ではない請求項７〜１０のいずれか１項記載のコネクタ。
【請求項１２】
前記案内部は、プラグコネクタの挿抜方向直交断面が非円形状である請求項７〜１０のいずれか１項記載のコネクタ。
【請求項１３】
前記案内部は、平面形状の先端面を備える請求項７〜１２のいずれか１項記載のコネクタ。
【請求項１４】
前記案内部の前記先端面の最小幅は、前記リセプタクルコンタクトの配置間隔よりも大きい請求項１３項記載のコネクタ。
【請求項１５】
前記案内部の前記先端面の最小幅は、前記リセプタクル本体の差込溝の間隔よりも大きい請求項１３又は請求項１４のいずれか１項記載のコネクタ。
【請求項１６】
前記案内部は、前記プラグ本体の対向する両端面上に少なくとも一つずつ設けられている請求項７〜１５のいずれか１項記載のコネクタ。
【請求項１７】
前記案内部は、前記プラグ本体の対向する両端面の長手方向略中央に設けられている請求項７〜１６のいずれか１項記載のコネクタ。
【請求項１８】
前記リセプタクル本体は、前記プラグコネクタの挿入方向に沿って前記誘い込み凹部に連なって凹設され、前記案内部を収納する収納部を備える請求項７〜１７のいずれか１項記載のコネクタ。
【請求項１９】
前記収納部は、前記リセプタクル本体の底部を貫通する貫通孔として設けられている請求項１８記載のコネクタ。
【請求項２０】
前記プラグ本体は二つの案内部を備え、前記リセプタクル本体は前記二つの案内部にそれぞれ対応する二つの誘い込み凹部を備え、一方の前記案内部において最も内側の位置から、他方の前記案内部において最も外側の位置までの距離は、一方の前記誘い込み凹部において最も内側の位置から、他方の前記誘い込み凹部において最も外側の位置までの距離と等しい請求項７〜１９のいずれか１項記載のコネクタ。
【請求項２１】
請求項１〜２０のいずれか１項記載のコネクタを備えたことを特徴とする携帯端末。
【発明の詳細な説明】
【技術分野】
【０００１】
本発明は、互いに結合して電気的に接続されるリセプタクルコネクタとプラグコネクタとを備えたコネクタ及びこのコネクタを備えた携帯端末に関する。
【背景技術】
【０００２】
リセプタクルコネクタとプラグコネクタとを備え、リセプタクルコネクタに設けられた差込溝にプラグコネクタを挿入することにより両者を導通させるコネクタにおいては、これを搭載する携帯端末その他の装置の小型化に伴って、低背化や実装基板上の占有面積の低減、すなわち小型化の要請が強まりつつある。
【０００３】
しかし、小型化に伴いコネクタを嵌合する際に目視しにくくなり、手動による位置合せが難しくなるとともに、低背化により一方のコネクタを誘い込む傾斜面を小さくしなければならず、嵌合の作業性が低下するという問題がある。これに対して極力傾斜面を大きくして嵌合の作業性を向上させるコネクタが提案されている（特許文献１）。
【０００４】
また、携帯端末の普及、販売競争激化により、生産数量の増加やコストダウンの要求が高まりつつあり、これらへの対応のひとつとして組み立て工程の自動化が急速に進展しつつある。コネクタの組み立ての自動化においては、特に、プラグコネクタのリセプタクルコネクタへの嵌合工程の自動化（以下、嵌合を機械により自動で行うことを自動嵌合と言う）が嵌合前の位置合せ精度の点から困難である。具体的には、コネクタの組み立てでは、ＦＰＣ等の基板に実装されたプラグコネクタを、他の基板に実装されたリセプタクルコネクタ上に仮置きし、その後組み立て機によりプラグコネクタの裏面側を押圧することにより嵌合させる工程が一般的であるが、組み立てを自動化すると、この仮置きから押圧嵌合に至る間の位置合わせ精度を高めることが困難である。よって、プラグコネクタとリセプタクルコネクタとの嵌合前の位置ずれ、すなわち嵌合ずれが大きい状態からでも、正しい位置で嵌合することができるコネクタが要望されている。
【特許文献１】特開２００１−２７３９４９号公報
【発明の開示】
【発明が解決しようとする課題】
【０００５】
しかしながら、上述の電気コネクタでは、低背化を実現しつつ、目視し難い状態での手動や自動嵌合を行うときに発生する大きな嵌合ずれに対応することが困難である。特に、嵌合時の基板間の高さが２ｍｍ以下になると、嵌合ずれへの対応がより困難であった。また、コネクタの平面形状は略長方形とすることが多く、プラグコネクタが挿入される差込溝は、コネクタの長手方向及び／又は短手方向に沿って形成されるため、回転ズレが起きやすく、嵌合作業の効率の低下につながっていた。この電気コネクタにおいて、嵌合ずれを吸収できていない状態で無理に自動嵌合を行うと、コンタクトの座屈その他の損傷、及び、コネクタ本体部の破損を招くおそれがある。また、嵌合ずれを吸収できたとしても、コネクタを正対させ難いため斜め嵌合になりやすく、嵌合力の増加やばらつき、さらにはクリック感が得難くなる。
【課題を解決するための手段】
【０００６】
上記課題を解決するために、本発明のコネクタは、絶縁部材からなるプラグ本体、及び、プラグ本体に保持された少なくとも１以上のプラグコンタクト、を有するプラグコネクタと、絶縁部材からなりプラグコネクタが挿抜される差込溝が設けられたリセプタクル本体、及び、差込溝にプラグコネクタが挿入されたときにプラグコンタクトに接触導通するようにリセプタクル本体に保持された少なくとも１以上のリセプタクルコンタクト、を有するリセプタクルコネクタと、を備えたコネクタであって、差込溝は、リセプタクル本体の中央に設けられた略直方体形状を備えた島部と、島部の外側面に沿って形成された壁部と、の間に凹設され、島部の上面の４つの稜角は、島部の上面から下方へ向かうにつれて壁部に近づく傾斜面をなすように切除され、上下方向に延びる外側面に連なることを特徴としている。
【０００７】
上記プラグ本体は、プラグコネクタの挿抜方向に沿ってリセプタクルコネクタ側へ突出した少なくとも２つの案内部を備え、案内部は、それぞれ、プラグ本体から突出するにしたがって互いに近づくように形成された案内傾斜面を少なくとも２つ有し、リセプタクル本体は、プラグコネクタをリセプタクルコネクタに挿入したときに、案内部をその内部にそれぞれ案内する少なくとも２つの誘い込み凹部を備え、誘い込み凹部は、それぞれ、プラグコネクタをリセプタクルコネクタに挿入したときに、案内傾斜面をそれぞれ案内するように設けられた少なくとも２つの誘い込み傾斜面を備えるとよい。
【０００８】
上記誘い込み傾斜面は傾斜面を含むことができる。
【０００９】
上記壁部は、その上面へ向かうにつれて、対向する壁部から離間するように形成された壁部案内傾斜面を備えていることが好ましい。
【００１０】
上記島部の傾斜面と外側面とが連接する稜線は、直線状又は円弧状とすることができる。
【００１１】
本発明のコネクタは、絶縁部材からなるプラグ本体、及び、プラグ本体に保持された少なくとも１以上のプラグコンタクト、を有するプラグコネクタと、絶縁部材からなりプラグコネクタが挿抜される差込溝が設けられたリセプタクル本体、及び、差込溝にプラグコネクタが挿入されたときにプラグコンタクトに接触導通するようにリセプタクル本体に保持された少なくとも１以上のリセプタクルコンタクト、を有するリセプタクルコネクタと、を備えたコネクタであって、プラグ本体は、プラグコネクタの挿抜方向に沿ってリセプタクルコネクタ側へ突出した少なくとも２つの案内部を備え、案内部は、それぞれ、プラグ本体から突出するにしたがって互いに近づくように形成された案内傾斜面を少なくとも２つ有し、リセプタクル本体は、プラグコネクタをリセプタクルコネクタに挿入したときに、案内部をその内部にそれぞれ案内する少なくとも２つの誘い込み凹部を備え、誘い込み凹部は、それぞれ、プラグコネクタをリセプタクルコネクタに挿入したときに、案内傾斜面をそれぞれ案内するように設けられた少なくとも２つの誘い込み傾斜面を備えることを特徴としている。
【００１２】
上記差込溝は、リセプタクル本体の中央に設けられた島部と、島部の外側面に沿って形成された壁部と、の間に凹設され、誘い込み傾斜面は、島部の外側面と、この外側面に対向する壁部の内壁面に形成されているとよい。
【００１３】
上記島部の外側面の誘い込み傾斜面は、島部の上面の４つの稜角を、島部の上面から下方へ向かうにつれて壁部に近づく傾斜面をなすように切除し、上下方向に延びる外側面に連なるように形成されていることが好ましい。
【００１４】
上記リセプタクル本体の底部に対する島部の上面の高さは、壁部の上面の高さよりも、小さいことが好ましい。
【００１５】
上記案内部は、プラグコネクタの挿抜方向直交断面を点対称形状又は非円形状とすることができる。
【００１６】
上記案内部は、平面形状の先端面を備えることが好ましい。
【００１７】
上記案内部の先端面の最小幅は、リセプタクルコンタクトの配置間隔よりも大きい、又は／及び、リセプタクル本体の差込溝の間隔よりも大きいとよい。
【００１８】
上記案内部は、プラグ本体の対向する両端面上に少なくとも一つずつ設けられていることが好ましい。
【００１９】
上記案内部は、プラグ本体の対向する両端面の長手方向略中央に設けることもできる。
【００２０】
上記リセプタクル本体は、プラグコネクタの挿入方向に沿って誘い込み凹部に連なって凹設され、案内部を収納する収納部を備えるとよい。
【００２１】
上記収納部は、リセプタクル本体の底部を貫通する貫通孔として設けられていることが好ましい。
【００２２】
上記プラグ本体は二つの案内部を備え、リセプタクル本体は二つの案内部にそれぞれ対応する二つの誘い込み凹部を備え、一方の案内部において最も内側の位置から、他方の案内部において最も外側の位置までの距離は、一方の誘い込み凹部において最も内側の位置から、他方の誘い込み凹部において最も外側の位置までの距離と等しいことが好ましい。
【００２３】
本発明にかかる携帯端末は、上述のいずれかのコネクタを備えたことを特徴としている。
【発明の効果】
【００２４】
本発明によると、プラグ本体に案内部を設けるとともに、リセプタクル本体に誘い込み凹部及び収納部を設けたことにより、低背化を実現しつつ、手動や自動嵌合における大きな嵌合ずれを吸収して正しい位置で嵌合することのできるコネクタを提供することができる。
【００２５】
また、リセプタクル本体の島部上面の四隅を傾斜面としたことにより、プラグコネクタを誘い込みやすくなるとともに、プラグコネクタの壁部内面（内面と下面との稜線）が傾斜面と当接することにより、回転ズレを矯正しやすくなる。よって、プラグコネクタがリセプタクルコネクタに正対しやすくなるため、嵌合作業の効率を高めることができる。
【００２６】
さらに、プラグ本体に案内部を、リセプタクル本体に誘い込み凹部、収納部、及び傾斜面を設けることにより、高い精度で、効率よく嵌合ずれを吸収し、正しい位置で嵌合することができる。
【００２７】
さらにまた、プラグ本体とリセプタクル本体とがどのような位置ずれを起こしていたとしても、案内傾斜面と誘い込み傾斜面を互いに当接させるように、プラグ本体に少なくとも２つ設けた案内部を、これら案内部に対応するようにリセプタクル本体にそれぞれ設けた少なくとも２つの誘い込み凹部が案内する構成となっている。このため、案内部の１つのみが誘い込み凹部に挿入されたり、この案内部を中心としてプラグコネクタが回転することを抑止することができる。すなわち、嵌合中に一方の案内部のみが当接する斜め嵌合の状況が起こり難く、プラグコネクタとリセプタクルコネクタが、その平面内で互いに平行に、または、互いに回転するように、ずれる自由度を与え難くする。したがって、双方のコネクタが損傷するおそれが小さい、（所定の）安定した嵌合挙動を得ることができる。
【００２８】
また、ばらつきの少ない安定した嵌合力を得ることができる。さらに、明確なクリック感を得ることができたため、正しく嵌合されたことを確実に認識することができる。これは、目視し難い状況でのコネクタ嵌合において、手動嵌合の場合には作業者による嵌合完了の認識を与えることができ、自動嵌合の場合には不完全嵌合の判断に有益に働く。
【００２９】
さらに、案内部の先端を平面形状としたため、この先端との接触によりリセプタクルコネクタに損傷を与えたり、案内部が誘い込み凹部以外の位置に嵌り込むおそれを小さくすることができる。具体的には、自動嵌合による押圧時や、手動嵌合時等においては、目視し難いために、嵌合位置を探す操作、すなわちリセプタクルコネクタ上でプラグコネクタを滑らす操作をすることがあるが、この操作中においても、案内部の先端を平面形状としたことにより、この先端でリセプタクル本体を引っ掛けて損傷させたり、案内部が正規の嵌合位置ではない部位に嵌り込んだりすることがない。さらに、案内部の先端自体の削れや損傷も防止することができる。
【００３０】
また、この平面形状の最小幅を、リセプタクル本体の差込溝の幅やリセプタクルコンタクトの配置間隔より、大きくしているため、並置されたリセプタクルコンタクト間、又は、リセプタクルコンタクトのプラグコネクタが挿入される間隙に、案内部が入り込むことがなくなり、リセプタクルコンタクトが変形するおそれが小さくなる。
【発明を実施するための最良の形態】
【００３１】
＜第１実施形態＞
以下、本発明にかかる第１実施形態を図面を参照しつつ詳しく説明する。
第１実施形態に係るコネクタは、互いに結合して電気的に接続されるリセプタクルコネクタ１０（図１）とプラグコネクタ５０（図２）とを備える。例えば、リセプタクルコネクタ１０とプラグコネクタ５０の一方をＬＣＤ（液晶ディスプレイ）（表示装置）ユニットやＣＣＤ（電荷結合素子）（撮像素子）ユニット側に配置し、他方をこれらのユニットと導通して動作を制御する基板側に配置して、リセプタクルコネクタ１０とプラグコネクタ５０とを結合することによってユニットと基板とを電気的に接続する。また、第１実施形態に係るプラグコネクタ５０とリセプタクルコネクタ１０は、携帯端末（例えば、携帯電話、携帯可能なコンピュータを含むＰＤＡ（Personal Digital Assistant））内における接続や、携帯端末と外部機器との接続に適用することができる。なお、リセプタクルコネクタ１０及びプラグコネクタ５０は、ＬＣＤユニットのほかに、表示装置として、ＣＲＴ(Cathode Ray Tube)ディスプレイユニット、プラズマディスプレイユニット、有機エレクトロルミネッセント素子ディスプレイユニットにも適用することができる。また、ＣＣＤユニットのほかに、撮像素子として、ＣＭＯＳ（Complementary Metal Oxide Semiconductor）ユニットにも、リセプタクルコネクタ１０及びプラグコネクタ５０を適用することができる。
【００３２】
（１）リセプタクルコネクタ１０
図１に示すリセプタクルコネクタ１０は、リセプタクル本体２０と、このリセプタクル本体２０に設けた差込溝２１の両側にそれぞれ配設された複数のリセプタクルコンタクト３０と、を備える。略直方体形状の外形を備えるリセプタクル本体２０は、その中央に設けた略直方体形状の島部４０と、この島部４０の外側面に沿うように形成された略矩形の壁部２４と、島部４０と壁部２４との間に凹設され、プラグコネクタ５０が挿抜される差込溝２１と、を備える。ここで、プラグコネクタ５０をリセプタクルコネクタ１０に嵌合するときにプラグコネクタ５０が配置される側（図１（ａ）において上側）を上側、リセプタクルコネクタ１０が配置される側（図１（ａ）において下側）を下側と称している。
【００３３】
リセプタクル本体２０は、絶縁部材である合成樹脂の射出成型品からなり、例えばナイロン９Ｔ、変性ナイロン、液晶ポリマーを射出成型してなる絶縁性部材である。このリセプタクル本体２０の壁部２４のうち、リセプタクル本体２０の長手方向一端の壁部２２の内壁の略中央には、リセプタクルコネクタ１０に対するプラグコネクタ５０の挿抜方向（図１（ａ）の上下方向）直交断面が略台形状に凹設された誘い込み部２５が設けられている。この台形形状は、島部４０の長手方向端部のうち壁部２２側の外壁４２に対向する開口部分を下底としたものであり、壁部２２の内壁をリセプタクル本体２０の長手方向外側へ凹設することにより、上底に相当する誘い込み面２５１、及び、この誘い込み面２５１の両端からそれぞれ延びる斜辺に相当する誘い込み面２５２、２５３が形成されている。また、島部４０の中央には、平面形状が略矩形の嵌合凹部４１が凹設されている。
【００３４】
一方、リセプタクル本体２０の長手方向他端の壁部２３の内壁には、誘い込み部２７が設けられている。誘い込み部２７は、誘い込み部２５と対向する位置に設けられ、プラグコネクタ５０の挿抜方向直交断面が略台形状に凹設されている点は誘い込み部２５と同様である。この台形形状は、島部４０の長手方向端部のうち壁部２３側の外壁４３に対向する開口部分を下底としたものであり、壁部２３の内壁をリセプタクル本体２０の長手方向外側へ凹設することにより、上底に相当する誘い込み面２７１、及び、誘い込み面２７１の両端からそれぞれ延びる斜辺に相当する誘い込み面２７２、２７３が形成されている。
【００３５】
ここで、誘い込み面２５１、２７１を、リセプタクル本体２０の幅方向に長くすると、プラグコネクタ５０がリセプタクルコネクタ１０の平面に対して回転してずれている状態で嵌合させようとした場合に、回転ずれ（θずれ）を容易に矯正することができるため好ましい。
【００３６】
誘い込み部２５と外壁４２によって誘い込み凹部２６が構成され、誘い込み部２７と外壁４３によって誘い込み凹部２８が構成される。
【００３７】
誘い込み面２７１、２７２、２７３は、図１（ｂ）、（ｃ）に示すように、プラグコネクタ５０の挿抜方向（図１の上下方向）に沿って設けられた立設面２７１ａ、２７２ａ、２７３ａの上部のそれぞれを、プラグコネクタ５０の挿入方向（図１の下方向）に進むにしたがって互いに近づくようにした誘い込み傾斜面２７１ｂ、２７２ｂ、２７３ｂ（図１（ｂ））としたものである。
【００３８】
外壁４３は、プラグコネクタ５０の挿抜方向に沿って設けられた立設面４３ａの上部を、プラグコネクタ５０の挿入方向に進むにしたがって誘い込み部２７へ近づくようにした誘い込み傾斜面４３ｂとしたものである。
【００３９】
ここで、立設面２７１ａと誘い込み傾斜面２７１ｂの境界となる稜線のプラグコネクタ５０の挿抜方向における位置Ｂ−１は、立設面４３ａと誘い込み傾斜面４３ｂの境界となる稜線の位置Ａ−１よりも高い位置に設けられている。
【００４０】
立設面２７１ａ、２７２ａ、２７３ａ、４３ａは、それらの下方に凹設して形成した収納部３７に連設されている。この収納部３７は、立設面２７１ａ、２７２ａ、２７３ａの下部に連設された傾斜面３７ａと、立設面４３ａの下部に連設された傾斜面３７ｂと、これらに連設された底面３７ｃと、からなる。傾斜面３７ａ及び傾斜面３７ｂは、立設面２７１ａ、２７２ａ、２７３ａ及び立設面４３ａからそれぞれ、プラグコネクタ５０の挿入方向に進むにしたがって互いに近づくように形成されている。
【００４１】
ここで、立設面２７１ａと傾斜面３７ａの境界となる稜線のプラグコネクタ５０の挿抜方向における位置は、立設面４３ａと傾斜面３７ｂの境界となる稜線の位置と同じ位置Ｃ−１となっている。
【００４２】
誘い込み部２５１，２５２、２５３は、誘い込み面２７１、２７２、２７３と同様の構成であって、プラグコネクタ５０の挿抜方向に沿って設けられた立設面２５１ａ、２５２ａ、２５３ａの上部のそれぞれを、プラグコネクタ５０の挿入方向に進むにしたがって互いに近づくようにした誘い込み傾斜面２５１ｂ、２５２ｂ、２５３ｂ（図１（ｂ））としてなる。
【００４３】
外壁４２は、プラグコネクタ５０の挿抜方向に沿って設けられた立設面４２ａの上部を、プラグコネクタ５０の挿入方向に進むにしたがって誘い込み部２５へ近づくようにした誘い込み傾斜面４２ｂとしてなるものである。
【００４４】
ここで、立設面２５１ａと誘い込み傾斜面２５１ｂの境界となる稜線のプラグコネクタ５０の挿抜方向における位置Ｂ−１は、立設面４２ａと誘い込み傾斜面４２ｂの境界となる稜線の位置Ａ−１よりも高い位置に設けられている。
【００４５】
立設面２５１ａ、２５２ａ、２５３ａ、４２ａは、それらの下方に凹設して形成した収納部３５に連設されており、この収納部３５は、立設面２５１ａ、２５２ａ、２５３ａの下部に連設された傾斜面３５ａと、立設面４２ａの下部に連設された傾斜面３５ｂと、これらに連設された底面３５ｃと、からなる。傾斜面３５ａ及び傾斜面３５ｂは、立設面２５１ａ、２５２ａ、２５３ａ及び立設面４２ａからそれぞれ、プラグコネクタ５０の挿入方向に進むにしたがって互いに近づくように形成されている。
【００４６】
ここで、立設面２５１ａと傾斜面３５ａの境界となる稜線のプラグコネクタ５０の挿抜方向における位置は、立設面４２ａと傾斜面３５ｂの境界となる稜線の位置と同じ位置Ｃ−１となっている。
【００４７】
また、図１（ａ）、（ｂ）、図３に示すように、傾斜面２５１ｂ〜２５３ｂのうちリセプタクル本体２０の長手方向外側に位置する傾斜面２５１ｂと、壁部２２の上面２２ａと、の境界線から、傾斜面４３ｂと島部４０の上面４０ａとの境界線まで、のリセプタクル本体２０の長手方向における距離はＤ−１となっている。この距離Ｄ−１は、傾斜面２７１ｂ〜２７３ｂのうちリセプタクル本体２０の長手方向外側に位置する傾斜面２７１ｂと、壁部２２の上面２２ａと、の境界線から、誘い込み傾斜面４２ｂと島部４０の上面４０ａとの境界線まで、のリセプタクル本体２０の長手方向における距離と等しくされている。
【００４８】
リセプタクルコンタクト３０は、スタンピング成形により形成された帯状の金属材からなり、基材（例えばリン青銅）上に、下地めっき（例えばニッケルめっき）を施した後に、仕上げめっき（例えば金めっき）を施した後に所定の形状に曲成されてなるものである。リセプタクルコンタクト３０の板厚は、コネクタの小型化、低背化を考慮し、ばね設計や加工性の観点から、例えばコネクタのピッチが０．３〜０．５ｍｍの場合には、０．０５〜０．１５ｍｍであることが好ましい。このリセプタクルコンタクト３０は、差込溝２１を挟むようにリセプタクル本体２０に圧入配置され、差込溝２１の外側に延びるリセプタクル側端子部３４が取付対象物（例えば回路基板）の導電パターに半田固定されて、リセプタクルコネクタが完成する。なお、リセプタクルコンタクト３０は、壁部２４の長手方向壁部２９のみに収容してもよいし、これに加えて島部４０にも収容してもよい。
【００４９】
（２）プラグコネクタ５０
図２に示すプラグコネクタ５０は、絶縁部材である合成樹脂のインサート成型品からなる略直方体形状のプラグ本体６０と、それぞれ帯状の金属部材からなりプラグ本体６０の長手方向に沿った両側の壁部にそれぞれリセプタクルコネクタ１０におけるリセプタクルコンタクト３０と対応して同じピッチで配設された複数のプラグコンタクト７０と、を備える。プラグ本体６０は、略直方体形状の外形を備え、その中央に設けた凸部６１と、この凸部６１の外側面に沿うように形成された略矩形の壁部６２と、凸部６１と壁部６２との間に凹設された凹部６３と、を備える。凸部６１は、プラグコネクタ５０がリセプタクルコネクタ１０に嵌合されるときに、嵌合凹部４１に嵌入される。
【００５０】
プラグ本体６０は、例えばナイロン９Ｔ（商標）、変性ナイロン、液晶ポリマーからなり、プラグコンタクト７０とともに一体成型（インサート成型）してなる絶縁性部材である。このプラグ本体６０の壁部６２のうち、プラグ本体６０の長手方向一端の壁部６４には、プラグコネクタ５０をリセプタクルコネクタ１０に嵌合したときに、誘い込み部２５に対応する位置に、案内部９１が設けられている。一方、プラグ本体６０の長手方向他端の壁部６５には、プラグコネクタ５０をリセプタクルコネクタ１０に嵌合したときに誘い込み部２７に対応する位置に、案内部９３が設けられている。
【００５１】
案内部９１、９３は、リセプタクルコネクタ１０に対するプラグコネクタ５０の挿抜方向（図２（ａ）の上下方向）に延びる柱状をなしている。案内部９１、９３は、先端部分がプラグコネクタ５０の挿抜方向に沿ってリセプタクルコネクタ１０側へ突出している。
【００５２】
案内部９１は、平面形状が略台形の先端部分の先端面９１０と、この先端面９１０の台形形状の上底、２つの斜辺、下底、にそれぞれ連設された案内面９１１、９１２、９１３、９１４と、を備える。これらのうち、案内面９１１、９１２、９１３は、プラグコネクタ５０の挿抜方向に沿って延びる立設面９１１ａ、９１２ａ、９１３ａと、これら立設面からプラグコネクタ５０の挿入方向（図２（ａ）、（ｄ）の上方向）に進むにつれて互いに近づくように延びる案内傾斜面９１１ｂ、９１２ｂ、９１３ｂと、をそれぞれ備える。案内面９１４は、プラグコネクタ５０の挿抜方向に沿って延びる立設面９１４ａと、この立設面９１４ａからプラグコネクタ５０の挿入方向に進むにつれて案内傾斜面９１１ｂと互いに近づくように延びる案内傾斜面９１４ｂと、からなる。先端面９１０の最小幅は、差込溝２１の幅、リセプタクルコンタクト３０の配置間隔、及び、リセプタクルコンタクト３０においてプラグコンタクト７０が挿入される間隙、よりも大きくしてある。
【００５３】
ここで、立設面９１１ａと案内傾斜面９１１ｂの境界となる稜線のプラグコネクタ５０の挿抜方向における位置Ｂ−２は、立設面９１４ａと案内傾斜面９１４ｂの境界となる稜線の位置Ａ−２よりも高い位置に設けられている。
【００５４】
案内部９３は、案内部９１と同様の構成であって、平面形状が略台形の先端部分の先端面９３０と、この先端面９３０の台形形状の上底、２つの斜辺、下底にそれぞれ連設された案内面９３１、９３２、９３３、９３４と、を備える。これらのうち、案内面９３１、９３２、９３３は、プラグコネクタ５０の挿抜方向に沿って延びる立設面９３１ａ、９３２ａ、９３３ａと、これら立設面からプラグコネクタ５０の挿入方向に進むにつれて互いに近づくように延びる案内傾斜面９３１ｂ、９３２ｂ、９３３ｂと、をそれぞれ備える。案内面９３４は、プラグコネクタ５０の挿抜方向に沿って延びる立設面９３４ａと、この立設面９３４ａからプラグコネクタ５０の挿入方向に進むにつれて案内傾斜面９３１ｂと互いに近づくように延びる案内傾斜面９３４ｂと、からなる。ここで、立設面９３１ａと案内傾斜面９３１ｂの境界となるプラグコネクタ５０の挿抜方向における位置Ｂ−２は、立設面９３４ａと案内傾斜面９３４ｂの境界となる稜線の位置Ａ−２よりも高い位置に設けられている。
【００５５】
上述のように、位置Ａ−１より位置Ｂ−１を高くし、かつ、位置Ａ−２より位置Ｂ−２を高くしたことにより、嵌合時には、まず、プラグの外形（外側）を基準とした誘い込みから開始され、つづいて島部を基準とした誘い込みが行われ、嵌合の挙動を安定させることができる。
【００５６】
さらに、位置Ｂ−１から位置Ｂ−２までの距離が、位置Ａ−１から位置Ａ−２までの距離より大きくなるように構成されているため、嵌合後においても、プラグ本体６０の外形を、これに対向するリセプタクル本体２０側の広い面積の平面で受けることができる。これにより、外乱等（落下、衝撃）が加わったとしても、プラグコネクタ５０がリセプタクルコネクタ１０から離脱しにくくなり、特に、案内部９１、９３及び誘い込み凹部２６、２８に設けた傾斜面が、リセプタクルコネクタ１０からのプラグコネクタ５０の離脱の起因となることを抑止することができる。
【００５７】
また、図２（ａ）、（ｂ）、図３に示すように、案内面９３１〜９３４のうちプラグ本体６０の長手方向内側に位置する  案内面９３４の傾斜面９３４ｂと先端面９３０との境界線から、案内面９１１〜９１４のうちプラグ本体６０の長手方向外側に位置する案内面９１１の案内傾斜面９１１ｂと先端面９１０との境界線まで、のプラグ本体６０の長手方向における距離はＤ−２となっている。この距離Ｄ−２は、案内面９１１〜９１４のうちプラグ本体６０の長手方向内側に位置する案内面９１４の案内傾斜面９１４ｂと先端面９１０との境界線から、案内面９３１〜９３４のうちプラグ本体６０の長手方向外側に位置する案内面９３１の案内傾斜面９３１ｂと先端面９３０との境界線まで、のプラグ本体６０の長手方向における距離と同一となっている。さらに、この距離Ｄ−２は、距離Ｄ−１と同一とされている。このように、リセプタクル本体２０及びプラグ本体６０を構成することにより、状況を目視し難い嵌合や、機械による嵌合においても、誘い込み凹部２６による案内部９１の誘い込みと誘い込み凹部２８による案内部９３の誘い込みをバランス良く行うことができ、リセプタクル本体２０に対してプラグ本体６０が正対した状態で嵌合することができる。
【００５８】
プラグコンタクト７０は、スタンピング成形により形成された帯状の金属材からなり、基材（例えばリン青銅）上に、下地めっき（例えばニッケルめっき）を施した後に、仕上げめっき（例えば金めっき）を施した後に所定の形状に曲成されてなるものである。プラグコンタクト７０の板厚は、コネクタの小型化、低背化を考慮し、ばね設計や加工性の観点から、例えばコネクタのピッチが０．３〜０．５ｍｍの場合には、０．０５〜０．１５ｍｍであることが好ましい。このプラグコンタクト７０は、プラグ本体６０の長手方向に延び、互いに対向する壁部６６、６７を貫通するようにプラグ本体６０に圧入配置され、長手方向壁部６６、６７から外側へ延びるプラグ側端子部７４が取付対象物（例えば回路基板）の導電パターンに半田固定されて、プラグコネクタが完成する。
【００５９】
プラグコネクタ５０のリセプタクルコネクタ１０への嵌合は、まず、リセプタクル本体２０上にプラグコネクタ５０を仮置きし、案内部９１の先端面９１０、案内面９１１〜９１４が誘い込み凹部２６に、案内部９３の先端面９３０、案内面９３１〜９３４が誘い込み凹部２８に、それぞれ入り込むことにより開始する。
【００６０】
仮置き時にすでにプラグコネクタ５０とリセプタクルコネクタ１０とが正対している理想的な嵌合では、まず、案内部９１，９３が、誘い込み凹部２６、２８の空間内にそれぞれ入り込むとともに、プラグコンタクト７０とリセプタクルコンタクト３０とが互いに当接する。この状態からプラグコネクタ５０をリセプタクルコネクタ１０側へ押圧すると、プラグコンタクト７０が挿入されていくことにより、リセプタクルコンタクト３０が開くように変位を開始する。さらに押圧してプラグコネクタ５０が所定の嵌合位置に達すると、プラグコンタクト７０がリセプタクルコンタクト３０に形成された凸部（不図示）を乗り越えることによって、クリック感を得ることができるとともに、プラグコンタクト７０とリセプタクルコンタクト３０とが互いに接触圧力を得た状態を実現することができる。ここからさらに押圧すると、あらかじめ設定したマージン分だけ移動をした後に、例えばプラグコンタクト７０の先端が差込溝２１の底面と当接して、移動が規制されて嵌合が完了する。このとき、先端面９１０及び案内面９１１〜９１４は収納部３５内に、先端面９３０及び案内面９３１〜９３４は収納部３７内に、それぞれ挿入されている（図４、図５参照）。
【００６１】
図５（ｂ）に示すように、リセプタクルコネクタ１０への嵌合終了時には、稜線位置Ａ−１とＡ−２間では、立設面４２ａ又は立設面４３ａと立設面９１４ａ又は立設面９３４ａとがそれぞれ対向し、稜線位置Ｂ−１とＢ−２間では、立設面２５１ａ又は立設面２７１ａと立設面９１１ａ又は立設面９３１ａとがそれぞれ対向するように構成されている。これにより、嵌合途中におけるθずれの矯正が容易となる。なお、位置Ａ１、Ａ２、Ｂ１、Ｂ２の関係、及び、これらを定める誘い込み部２５、誘い込み部２７、外壁４２、４３、案内部９１、９３、の形状は適宜設定することができる。
【００６２】
しかしながら、目視し難い状況下の嵌合や機械による自動嵌合における仮置きから嵌合終了までの挙動は、プラグコネクタ５０とリセプタクルコネクタ１０との相対位置関係により異なるため、以下に、３つの場合に分けて説明する。
【００６３】
（ｉ）θズレの場合
図６（ａ）に示すように、仮置きの際に、平面視でリセプタクルコネクタ１０とプラグコネクタ５０がある角度θだけずれている場合がある（θズレ）。このような場合であっても、少なくとも、誘い込み凹部２６の傾斜面２５１ｂ〜２５３ｂのいずれか、及び、誘い込み傾斜面４２ｂと、案内部９１の案内面９１１〜９１４のいずれか２つ以上と、が当接し、及び／または、少なくとも、誘い込み凹部２８の傾斜面２７１ｂ〜２７３ｂのいずれか、及び、傾斜面４３ｂと、案内部９３の案内面９３１〜９３４のいずれか２つ以上と、が当接している。このため、仮置き時に角度θだけずれていたとしても、リセプタクルコネクタ１０内にプラグコネクタ５０を挿入していくにつれて、案内部９１、９３が誘い込み凹部２６、２８にそれぞれ案内されて角度ズレは是正され、正しい向きで嵌合を終了することができる。
【００６４】
（ｉｉ）平行ズレの場合
図６（ｂ）に示すように、仮置きの際に、平面視でリセプタクルコネクタ１０とプラグコネクタ５０がある距離Ｌだけ平行にずれている場合がある（平行ズレ）。このような場合であっても、少なくとも、誘い込み凹部２６の誘い込み面２５１〜２５３のいずれか、または、誘い込み傾斜面４２ｂと、案内部９１の案内面９１１〜９１４のいずれかと、が当接し、及び／または、誘い込み凹部２８の誘い込み面２７１〜２７３のいずれか、または、傾斜面４３ｂと、案内部９３の案内面９３１〜９３４のいずれかと、が当接している。このため、距離Ｌだけ平行にずれていたとしても、リセプタクルコネクタ１０内へのプラグコネクタ５０の挿入において、案内部９１の誘い込み凹部２６内への案内量と、案内部９３の誘い込み凹部２８内への案内量と、をほぼ均等として、正しい向きで嵌合を終えることができる。
【００６５】
（ｉｉｉ）複合ズレの場合
さらに、上述のθズレ及び平行ズレが複合して現れる場合もある。この場合においては、少なくとも、誘い込み凹部２６の傾斜面２５１ｂ〜２５３ｂ及び誘い込み傾斜面４２ｂと、案内部９１の案内面９１１〜９１４と、のいずれか２組以上が当接し、及び／または、少なくとも、誘い込み凹部２８の傾斜面２７１ｂ〜２７３ｂ及び傾斜面４３ｂと、案内部９３の案内面９３１〜９３４と、のいずれか２組以上が当接している。これにより、θズレ及び平行ズレで得られる効果を奏することができる。
【００６６】
案内部９１及び案内部９３にそれぞれ複数の案内傾斜面が設けられ、かつ、誘い込み凹部２６及び誘い込み凹部２８に案内傾斜面に対応する複数の誘い込み傾斜面がそれぞれ設けられていることにより、嵌合ずれがあったとしても、プラグコンタクト７０とリセプタクルコンタクト３０とが当接する前に、プラグコネクタ５０とリセプタクルコネクタ１０を正対させることができる。また、案内部の１つのみが、誘い込み凹部に挿入されるおそれがないため、挿入されていない案内部によりプラグコネクタが損傷するおそれが小さい。
【００６７】
また、収納部３５内に先端面９１０、案内面９１１〜９１４を、収納部３７内に先端面９３０、案内面９３１〜９３４を、それぞれ収納することとしたため、プラグコネクタ５０の挿抜方向における案内部９１、９３の高さを大きくすることができる。これにより、コネクタの低背化を実現しつつ、嵌合ずれを修正するための誘い込み寸法を十分確保することができる。
【００６８】
さらに、嵌合時にリセプタクルコネクタ１０の中に、プラグコネクタ５０が入り込む構造であるため、リセプタクルコネクタ１０の差込溝２１の内壁に誘い込み部を形成することから、実装面積を決定するリセプタクルコネクタ１０の外形を大きくすることなく、上記効果を得ることができる。また、リセプタクルコネクタ１０、すなわち嵌合後の外形状を凹凸の少ない略直方体形状に維持できる。
【００６９】
以下に変形例について説明する。
誘い込み凹部は、壁部２２側及び壁部２３側にそれぞれ一つ以上設ければいくつ設けてもよい。また、案内部は、壁部６４及び壁部６５にそれぞれ一つ以上設ければいくつ設けてもよい。これらの構成により、嵌合ずれがあっても案内部を誘い込むことができる。
【００７０】
さらに、リセプタクルコネクタ１０に対するプラグコネクタ５０の向きに応じて嵌合の可否を選択できるように、リセプタクルコネクタ１０の誘い込み凹部を設定してもよい。すなわち、ある向きではプラグコネクタ５０はリセプタクルコネクタ１０に嵌合可能であるが、嵌合方向直交平面上でプラグコネクタ５０を１８０度回転させた場合はリセプタクルコネクタ１０に嵌合できないように、誘い込み部の有無、位置、形状を設定しても良い。
【００７１】
誘い込み部２５、誘い込み部２７、案内部９１、９３の断面形状は、互いに対応する形状であれば、略台形形状のほか、四角、三角その他の多角形状、半円状、非点対称形状、非円形状とすることができる。
【００７２】
収納部３５、３７はリセプタクル本体２０の底部２０ａを貫通した貫通孔として設けることもできる。このように構成すると、より長い案内部を収納できるようになるため、低背化を実現しつつより大きな嵌合ずれにも対応可能となる。
【００７３】
また、リセプタクルコネクタ１０の底部２０ａに、下方に突出するように、位置合わせのためのボス部を設け、このボス部内まで収納部を凹設してもよい。この構成によれば、プラグコネクタ５０の挿抜方向における案内部９１及び案内部９３の高さをさらに大きくすることができる。よって、案内部９１、９３の案内傾斜面９１１ｂ〜９１４ｂ、９３１ｂ〜９３４ｂを大きくすることが可能となるため、コネクタの低背化を実現しつつ、嵌合ずれを修正するための誘い込み寸法をさらに大きく確保することができる。
【００７４】
さらに、実装基板に、リセプタクルコネクタ１０を位置決めするボス部に対応する孔と、実装基板と案内部９１、９３との干渉とを避ける為の孔と、をそれぞれ形成する必要がなくなる。すなわち、実装基板の孔を共用することができるようになる。これにより、基板配線の設計自由度が高くなるとともに、高密度化を実現できる。
【００７５】
また、収納部３５、３７をボス部内に凹設された有底孔とすることで、リセプタクルコネクタ１０の底部２０ａに外部に通ずる貫通孔がないことから、リセプタクル本体２０の強度保持及び実装する際のリフロー時のフラックスやガスの侵入防止をすることができる。さらに、実質的に、案内部９１、９３を含んだプラグコネクタの総高さを、嵌合時の基板間の高さ以上とすることができる。
【００７６】
また、第１実施形態では誘い込み凹部２６及び誘い込み凹部２８を、リセプタクルコネクタ１０の長手方向両側に一つずつ設け、これらに対応する案内部９１、９３をプラグコネクタ５０の長手方向両側に一つずつ設けている。これにより、案内部９１、９３が大きくなることにより案内部９１と案内部９３との距離が短くなること、及び、対応する誘い込み凹部２６、２８が複数形成されること、に起因するリセプタクル本体２０の強度低下や、コネクタ組立機の生産性の低下等を防ぐことができる。
【００７７】
なお、案内部９１、９３や誘い込み凹部２６、２８の数や位置、形状は、コネクタに要求される嵌合ずれの許容量、嵌合時の基板間高さ、金具の有無、ボス部の形成の可否、生産性等の設計的制約の中で選択し設定するものである。
【００７８】
また、嵌合ずれの許容量は、案内部９１、９３の先端面９１０、９３０及び案内面９１１〜９１４、案内面９３１〜９３４の形状により任意に設定することが可能である。
【００７９】
＜第２実施形態＞
図７を参照しつつ本発明の第２実施形態について説明する。第２実施形態においては、島部１４０に傾斜面１４５ａ、１４５ｂ、１４７ａ、１４７ｂが形成され、リセプタクル本体１２０の長手方向に延びる壁部１１５、１１６に壁部案内傾斜面１５５ａ、１５５ｂ、１５７ａ、１５７ｂが形成されている点が第１実施形態と異なる。プラグコネクタとしては第１実施形態と同じものを使用する。その他の構成は第１実施形態と同様であって、同じ部材については同じ参照符号を使用し、重複する説明は省略する。
【００８０】
第２実施形態に係るリセプタクルコネクタ１１０は、リセプタクルコネクタ１０と同様に、リセプタクル本体１２０と、このリセプタクル本体１２０に設けた差込溝１２１の両側にそれぞれ配設された複数のリセプタクルコンタクト１３０と、を備える。略直方体形状の外形を備えるリセプタクル本体１２０は、その中央に設けた略直方体形状の島部１４０と、この島部１４０の外側面に沿うように形成された略矩形の壁部１２４と、島部１４０と壁部１２４との間に凹設され、プラグコネクタ５０が挿抜される差込溝１２１と、を備える。
【００８１】
リセプタクル本体１２０の壁部１２４のうち、リセプタクル本体１２０の長手方向一端の壁部１２２の内壁の略中央には、リセプタクルコネクタ１１０に対するプラグコネクタ５０の挿抜方向（図１（ａ）の上下方向）直交断面が略台形状に凹設された誘い込み部１２５が設けられている。一方、リセプタクル本体１２０の長手方向他端の壁部１２３の内壁には、誘い込み部１２７が設けられている。誘い込み部１２７は、誘い込み部１２５と対向する位置に設けられ、プラグコネクタ５０の挿抜方向直交断面が略台形状に凹設されている点は誘い込み部１２５と同様である。
【００８２】
島部１４０においては、第１実施形態の誘い込み傾斜面４２ｂ、４３ｂに代えて、その上面１４０ａの４つの稜角が、上面１４０ａから下方へ向かうにつれて（リセプタクルコネクタ１１０の底面へ向かうにつれて）、壁部１２４の対向する部分に近づくような傾斜面１４５ａ、１４５ｂ、１４７ａ、１４７ｂをなすようにそれぞれ切除されている。誘い込み部１２５に対向する傾斜面１４５ａ、１４５ｂは、島部１４０の上下方向（挿抜方向）に延びる外側面１４６に、誘い込み部１２７に対向する傾斜面１４７ａ、１４７ｂは、島部１４０の上下方向に延びる外側面１４８に、それぞれ連設されている。傾斜面１４５ａ、１４５ｂと外側面１４６とが連接する稜線、及び、傾斜面１４７ａ、１４７ｂと外側面１４８とが連接する稜線は、それぞれ直線状である。また、島部１４０の中央には、平面形状が略矩形の嵌合凹部１４１が凹設されている。この嵌合凹部１４１には、プラグコネクタ５０がリセプタクルコネクタ１１０に嵌合されるときに、嵌合凸部６１が嵌入される。
【００８３】
誘い込み部１２５、傾斜面１４５ａ、１４５ｂ、及び外側面１４６により誘い込み凹部１２６が構成され、誘い込み部１２７、傾斜面１４７ａ、１４７ｂ、及び外側面１４８により誘い込み凹部１２８が構成される。
【００８４】
壁部１２４のうち、リセプタクル本体１２０の長手方向（図７（ｂ）の左右方向）に沿って延びる壁部１１５には、その両端部に壁部案内傾斜面１５５ａ、１５７ａが設けられている。壁部案内傾斜面１５５ａ、１５７ａは、挿抜方向に延びる壁部１１５の内面に連設され、壁部１１５の上面へ向かうにつれて、対向する壁部１１６から離間するように形成されている。一方、壁部１２４のうち、壁部１１５に平行に延びる壁部１１６には、その両端部に壁部案内傾斜面１５５ｂ、１５７ｂが設けられている。壁部案内傾斜面１５５ｂ、１５７ｂは、挿抜方向に延びる壁部１１６の内面に連設され、壁部１１６の上面へ向かうにつれて、対向する壁部１１５から離間するように形成されている。
【００８５】
以上のようにリセプタクル本体１２０に設けられた島部１４０の上面１４０ａの四隅を傾斜面１４５ａ、１４５ｂ、１４７ａ、１４７ｂとしたことにより、第１実施形態で得られる効果に加えて、プラグコネクタ５０の壁部６４、６５の内面や案内傾斜面９１４ｂ、９３４ｂが傾斜面１４５ａ、１４５ｂ、１４７ａ、１４７ｂと当接して、プラグコネクタ５０を案内することにより、回転ズレを矯正しやすくなる。よって、プラグコネクタ５０がリセプタクルコネクタ１１０に正対しやすくなるため、嵌合作業の効率を高めることができる。
さらに、壁部案内傾斜面１５５ａ、１５７ａ、１５５ｂ、１５７ｂを形成したことにより、プラグコネクタ５０の壁部６２の上面や案内部９１、９３が壁部案内傾斜面１５５ａ、１５７ａ、１５５ｂ、１５７ｂと当接することにより、位置ズレをより矯正しやすくなる。
つまり、プラグコネクタ５０の内側と外側両方から位置ズレを矯正することができ、極めて優れた位置ズレ矯正の効果を得ることが出来る。
【００８６】
また、外側面１４６、１４８を残して傾斜面１４５ａ、１４５ｂ、１４７ａ、１４７ｂを形成したことにより、プラグコネクタ５０をリセプタクルコネクタ１１０に嵌合したときに、プラグコネクタ５０の立設面９１４ａ、９３４ａが外側面１４６、１４８にそれぞれ当接するため、リセプタクルコネクタ１１０の長手方向におけるプラグコネクタ５０の位置決めを正確に行うことができる。
【００８７】
上述の説明では傾斜面１４５ａ、１４５ｂと外側面１４６とが連接する稜線、及び、傾斜面１４７ａ、１４７ｂと外側面１４８とが連接する稜線が、それぞれ直線状であるとしたが、円弧状とすることもできる。
なお、その他の作用、効果、変形例は第１実施形態と同様である。
【００８８】
＜第３実施形態＞
図８及び図９を参照しつつ本発明の第３実施形態について説明する。以下の説明においては、第１実施形態と同じ部材については同じ参照符号を使用し、重複する説明は省略する。
【００８９】
第３実施形態に係るリセプタクルコネクタ３１０は、上述のリセプタクルコネクタ１０及びリセプタクルコネクタ１１０と同様に、リセプタクル本体３２０と、このリセプタクル本体３２０に設けた差込溝３２１の両側にそれぞれ配設された複数のリセプタクルコンタクト３３０と、を備える。略直方体形状の外形を備えるリセプタクル本体３２０は、その中央に設けた略直方体形状の島部３４０と、この島部３４０の外側面に沿うように形成された略矩形の壁部３２４と、島部３４０と壁部３２４との間に凹設され、プラグコネクタ３５０が挿抜される差込溝３２１と、を備える。
【００９０】
リセプタクル本体３２０の壁部３２４のうち、リセプタクル本体３２０の長手方向両端に位置し互いに対向する壁部３２２及び壁部３２３の内壁には、上面から下方へ向かうにつれて対向する壁部側へ近づくように形成され、上下方向に延びる内側面３２２ａ、３２３ａに連設された誘い込み面３２５、３２７が設けられている。
【００９１】
島部３４０においては、その上面３４０ａの４つの稜角が、上面３４０ａから下方へ向かうにつれて（リセプタクルコネクタ３１０の底面へ向かうにつれて）、壁部３２４の対向する部分に近づくような傾斜面３４５ａ、３４５ｂ、傾斜面３４７ａ、３４７ｂをなすようにそれぞれ切除されている。誘い込み面３２５に対向する傾斜面３４５ａ、３４５ｂは、島部３４０の上下方向に延びる外側面３４６に、誘い込み面３２７に対向する傾斜面３４７ａ、３４７ｂは、島部３４０の上下方向に延びる外側面３４８に、それぞれ連設されている。傾斜面３４５ａ、３４５ｂと外側面３４６とが連接する稜線、及び、傾斜面３４７ａ、３４７ｂと外側面３４８とが連接する稜線は、それぞれ直線状である。また、島部３４０の中央には、平面形状が略矩形の嵌合凹部３４１が凹設されている。
【００９２】
誘い込み面３２５、傾斜面３４５ａ、３４５ｂ、及び、外側面３４６により誘い込み凹部３２６が構成され、誘い込み部３２７、傾斜面３４７ａ、３４７ｂ、及び、外側面３４８により誘い込み凹部３２８が構成される。
【００９３】
壁部３２４のうち、リセプタクル本体３２０の長手方向（図８（ｂ）の左右方向）に沿って延びる壁部３１５には、その両端部に壁部案内傾斜面３５５ａ、３５７ａが設けられている。壁部案内傾斜面３５５ａ、３５７ａは、挿抜方向に延びる壁部３１５の内面に連設され、壁部３１５の上面へ向かうにつれて、対向する壁部３１６から離間するように形成されている。一方、壁部３２４のうち、壁部３１５に平行に延びる壁部３１６には、その両端部に壁部案内傾斜面３５５ｂ、３５７ｂが設けられている。壁部案内傾斜面３５５ｂ、３５７ｂは、挿抜方向に延びる壁部３１６の内面に連設され、壁部３１６の上面へ向かうにつれて、対向する壁部３１５から離間するように形成されている。
【００９４】
図９に示すプラグコネクタ３５０は、絶縁部材である合成樹脂のインサート成型品からなる略直方体形状のプラグ本体３６０と、それぞれ帯状の金属部材からなりプラグ本体３６０の長手方向に沿った両側にそれぞれリセプタクルコネクタ３１０におけるリセプタクルコンタクト３３０と対応して同じピッチで配設された複数のプラグコンタクト３７０と、を備える。
【００９５】
プラグ本体３６０は、略直方体形状の外形を備えており、平面形状が略矩形状の凹部３６３を囲むように嵌合壁部３６２が配置されている。嵌合壁部３６２は、プラグコネクタ３５０がリセプタクルコネクタ３１０に嵌合されるときに差込溝３２１に嵌入される。プラグ本体３６０は、例えばナイロン９Ｔ（商標）、変性ナイロン、液晶ポリマーからなり、プラグコンタクト７０とともに一体成型（インサート成型）してなる絶縁性部材である。凹部３６３の中央には、プラグコネクタ３５０がリセプタクルコネクタ３１０に嵌合されるときに、嵌合凹部３４１に嵌入される嵌合凸部３６１が凸設されている。
【００９６】
以上のように、第１実施形態及び第２実施形態に比して単純な構造を採用することにより、製造コストを低減しつつ、低背化を実現し、かつ、嵌合ずれを吸収して正しい位置で嵌合することのできるコネクタを実現することができる。
なお、その他の作用、効果、変形例は第１実施形態及び第２実施形態と同様である。
【００９７】
本発明について上記実施形態を参照しつつ説明したが、本発明は上記実施形態に限定されるものではなく、改良の目的または本発明の思想の範囲内において改良または変更が可能である。
【図面の簡単な説明】
【００９８】
【図１】（ａ）は本発明の第１実施形態に係るリセプタクルコネクタの構成を示す斜視図であり、（ｂ）はその平面図、（ｃ）は（ｂ）のＩＣ−ＩＣ線に沿った縦断面図であって、誘い込み凹部及び収納部の構成を拡大して示す図である。
【図２】（ａ）は本発明の第１実施形態に係るプラグコネクタの構成を示す斜視図であり、（ｂ）はその平面図、（ｃ）はその側面図、（ｄ）は（ｂ）のＩＩＤ−ＩＩＤ線に沿った縦断面図であって、案内部の構成を示す図である。
【図３】本発明の第１実施形態に係るプラグコネクタをリセプタクルコネクタに対向させたときの状態を示し、プラグコネクタをリセプタクルコネクタの短手方向略中央を通る長手方向線に沿った縦断面図である
【図４】（ａ）は本発明の第１実施形態に係るプラグコネクタをリセプタクルコネクタに嵌合するときの状態を示す側面図であり、（ｂ）はその斜視図、（ｃ）は嵌合後の状態を示す平面図である。
【図５】（ａ）は本発明の第１実施形態に係るプラグコネクタをリセプタクルコネクタに嵌合するときに案内部が誘い込み部に挿入される様子を示す縦断面図であり、（ｂ）は嵌合後の状態を示す縦断面図である。
【図６】（ａ）は本発明の第１実施形態に係るプラグコネクタとリセプタクルコネクタとが角度θだけずれて配置された状態を示す平面図、（ｂ）は距離Ｌだけ平行にずれて配置された状態を示す平面図である。
【図７】（ａ）は本発明の第２実施形態に係るリセプタクルコネクタの構成を示す斜視図であり、（ｂ）はその平面図、（ｃ）は（ｂ）のＶＩＩＣ−ＶＩＩＣ線に沿った拡大縦断面図である。
【図８】（ａ）は本発明の第３実施形態に係るリセプタクルコネクタの構成を示す斜視図であり、（ｂ）はその平面図、（ｃ）は（ｂ）のＶＩＩＩＣ−ＶＩＩＩＣ線に沿った拡大縦断面図である。
【図９】（ａ）は本発明の第３実施形態に係るプラグコネクタの構成を示す斜視図であり、（ｂ）はその平面図、（ｃ）は（ｂ）のＩＸＣ−ＩＸＣ線に沿った拡大縦断面図である。
【符号の説明】
【００９９】
１０  リセプタクルコネクタ
２０  リセプタクル本体
２１  差込溝
２６  ２８  誘い込み凹部
３０  リセプタクルコンタクト
３５  ３７  収納部
４０  島部
４２  外壁
４２ｂ  誘い込み傾斜面
４３  外壁
４３ｂ  誘い込み傾斜面
５０  プラグコネクタ
６０  プラグ本体
７０  プラグコンタクト
９１  ９３  案内部
１１０  リセプタクルコネクタ
１１５  １１６  壁部
１２０  リセプタクル本体
１２１  差込溝
１４０  島部
１４５ａ  １４５ｂ  傾斜面
１４７ａ  １４７ｂ  傾斜面
１４６  １４８    外側面
１５５ａ  １５５ｂ  壁部案内傾斜面
１５７ａ  １５７ｂ  壁部案内傾斜面
２５１ｂ  ２５２ｂ  ２５３ｂ  誘い込み傾斜面
２７１ｂ  ２７２ｂ  ２７３ｂ  誘い込み傾斜面
３１０  リセプタクルコネクタ
３１５  ３１６    壁部
３２０  リセプタクル本体
３２１  差込溝
３４０  島部
３４５ａ  ３４５ｂ  傾斜面
３４７ａ  ３４７ｂ  傾斜面
３４６  ３４８    外側面
３５０  プラグコネクタ
３５５ａ  ３５５ｂ  壁部案内傾斜面
３５７ａ  ３５７ｂ  壁部案内傾斜面
３６０  プラグ本体
３７０  プラグコンタクト
９１１ｂ  ９１２ｂ  ９１３ｂ  ９１４ｂ  案内傾斜面
９３１ｂ  ９３２ｂ  ９３３ｂ  ９３４ｂ  案内傾斜面
【図１】
2007018993.tif 000003
【図２】
2007018993.tif 000004
【図３】
2007018993.tif 000005
【図４】
2007018993.tif 000006
【図５】
2007018993.tif 000007
【図６】
2007018993.tif 000008
【図７】
2007018993.tif 000009
【図８】
2007018993.tif 000010
【図９】
2007018993.tif 000011
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
絶縁部材からなるプラグ本体、及び、前記プラグ本体に保持された少なくとも１以上のプラグコンタクト、を有するプラグコネクタと、絶縁部材からなり前記プラグコネクタが挿抜される差込溝が設けられたリセプタクル本体、及び、前記差込溝に前記プラグコネクタが挿入されたときに前記プラグコンタクトに接触導通するように前記リセプタクル本体に保持された少なくとも１以上のリセプタクルコンタクト、を有するリセプタクルコネクタと、を備えたコネクタであって、
前記差込溝は、前記リセプタクル本体の中央に設けられた略直方体形状を備えた島部と、前記島部の外側面に沿って形成された壁部と、の間に凹設され、
前記プラグ本体は、前記プラグコネクタの挿抜方向に沿って前記リセプタクルコネクタ側へ突出した少なくとも２つの案内部を備え、
前記リセプタクル本体は、前記プラグコネクタを前記リセプタクルコネクタに挿入したときに、前記案内部をその内部にそれぞれ案内する少なくとも２つの誘い込み凹部、及び該誘い込み凹部によって案内された前記案内部の先端部を受け入れる、前記差込溝より深い位置に凹設された収納部を、前記島部と前記壁部との間に備え、
前記２つの案内部の前記先端部にそれぞれ矯正用傾斜面を形成し、
前記島部の上面の４つの稜角に、該上面から下方へ向かうにつれて前記壁部に近づくように切除されると共に上下方向に延びる前記外側面に連なり、前記プラグコネクタを前記リセプタクルコネクタへ挿入する際に両コネクタの間に該挿入方向と直交する平面内で回転ズレが生じたとき、対応する前記矯正用傾斜面と当接して該回転ズレを矯正する方向にプラグコネクタを案内する傾斜面を形成したことを特徴とするコネクタ。
【請求項２】
前記案内部はそれぞれ、前記プラグ本体から突出するにしたがって互いに近づくように形成された前記矯正用傾斜面を含む案内傾斜面を少なくとも２つ有し、
前記誘い込み凹部はそれぞれ、前記プラグコネクタを前記リセプタクルコネクタに挿入したときに、対応する前記各案内傾斜面をそれぞれ案内するように設けられた少なくとも２つの誘い込み傾斜面を備える請求項１記載のコネクタ。
【請求項３】
前記誘い込み傾斜面は前記傾斜面を含む請求項２記載のコネクタ。
【請求項４】
前記壁部は、その上面へ向かうにつれて、対向する壁部から離間するように形成された壁部案内傾斜面を備えている請求項１〜３のいずれか１項記載のコネクタ。
【請求項５】
前記島部の傾斜面と前記外側面とが連接する稜線は、直線状である請求項１〜４のいずれか１項記載のコネクタ。
【請求項６】
前記島部の傾斜面と前記外側面とが連接する稜線は、円弧状である請求項１〜４のいずれか１項記載のコネクタ。
【請求項７】
前記リセプタクル本体の底部に対する前記島部の上面の高さは、前記壁部の上面の高さよりも、小さい請求項１から６のいずれか１項記載のコネクタ。
【請求項８】
前記案内部は、プラグコネクタの挿抜方向直交断面が点対称形状ではない請求項１〜７のいずれか１項記載のコネクタ。
【請求項９】
前記案内部は、プラグコネクタの挿抜方向直交断面が非円形状である請求項１〜７のいずれか１項記載のコネクタ。
【請求項１０】
前記案内部は、平面形状の先端面を備える請求項１〜９のいずれか１項記載のコネクタ。
【請求項１１】
前記案内部の前記先端面の最小幅は、前記リセプタクルコンタクトの配置間隔よりも大きい請求項１０項記載のコネクタ。
【請求項１２】
前記案内部の前記先端面の最小幅は、前記リセプタクル本体の差込溝の間隔よりも大きい請求項１０又は請求項１１のいずれか１項記載のコネクタ。
【請求項１３】
前記案内部は、前記プラグ本体の対向する両端面上に少なくとも一つずつ設けられている請求項１〜１２のいずれか１項記載のコネクタ。
【請求項１４】
前記案内部は、前記プラグ本体の対向する両端面の長手方向略中央に設けられている請求項１〜１３のいずれか１項記載のコネクタ。
【請求項１５】
前記収納部は、前記リセプタクル本体の底部を貫通する貫通孔として設けられている請求項１から１４のいずれか１項記載のコネクタ。
【請求項１６】
前記プラグ本体は二つの案内部を備え、前記リセプタクル本体は前記二つの案内部にそれぞれ対応する二つの誘い込み凹部を備え、一方の前記案内部において最も内側の位置から、他方の前記案内部において最も外側の位置までの距離は、一方の前記誘い込み凹部において最も内側の位置から、他方の前記誘い込み凹部において最も外側の位置までの距離と等しい請求項１〜１５のいずれか１項記載のコネクタ。
【請求項１７】
請求項１〜１６のいずれか１項記載のコネクタを備えたことを特徴とする携帯端末。
【手続補正２】
【補正対象書類名】明細書
【補正対象項目名】０００６
【補正方法】変更
【補正の内容】
【０００６】
上記課題を解決するために、本発明のコネクタは、絶縁部材からなるプラグ本体、及び、前記プラグ本体に保持された少なくとも１以上のプラグコンタクト、を有するプラグコネクタと、絶縁部材からなり前記プラグコネクタが挿抜される差込溝が設けられたリセプタクル本体、及び、前記差込溝に前記プラグコネクタが挿入されたときに前記プラグコンタクトに接触導通するように前記リセプタクル本体に保持された少なくとも１以上のリセプタクルコンタクト、を有するリセプタクルコネクタと、を備えたコネクタであって、前記差込溝は、前記リセプタクル本体の中央に設けられた略直方体形状を備えた島部と、前記島部の外側面に沿って形成された壁部と、の間に凹設され、前記プラグ本体は、前記プラグコネクタの挿抜方向に沿って前記リセプタクルコネクタ側へ突出した少なくとも２つの案内部を備え、前記リセプタクル本体は、前記プラグコネクタを前記リセプタクルコネクタに挿入したときに、前記案内部をその内部にそれぞれ案内する少なくとも２つの誘い込み凹部、及び該誘い込み凹部によって案内された前記案内部の先端部を受け入れる、前記差込溝より深い位置に凹設された収納部を、前記島部と前記壁部との間に備え、前記２つの案内部の前記先端部にそれぞれ矯正用傾斜面を形成し、前記島部の上面の４つの稜角に、該上面から下方へ向かうにつれて前記壁部に近づくように切除されると共に上下方向に延びる前記外側面に連なり、前記プラグコネクタを前記リセプタクルコネクタへ挿入する際に両コネクタの間に該挿入方向と直交する平面内で回転ズレが生じたとき、対応する前記矯正用傾斜面と当接して該回転ズレを矯正する方向にプラグコネクタを案内する傾斜面を形成したことを特徴としている。
【手続補正３】
【補正対象書類名】明細書
【補正対象項目名】０００７
【補正方法】変更
【補正の内容】
【０００７】
前記案内部はそれぞれ、前記プラグ本体から突出するにしたがって互いに近づくように形成された前記矯正用傾斜面を含む案内傾斜面を少なくとも２つ有し、
前記誘い込み凹部はそれぞれ、前記プラグコネクタを前記リセプタクルコネクタに挿入したときに、対応する前記各案内傾斜面をそれぞれ案内するように設けられた少なくとも２つの誘い込み傾斜面を備えるとよい。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００８５
【補正方法】変更
【補正の内容】
【００８５】
以上のようにリセプタクル本体１２０に設けられた島部１４０の上面１４０ａの四隅を傾斜面１４５ａ、１４５ｂ、１４７ａ、１４７ｂとしたことにより、第１実施形態で得られる効果に加えて、プラグコネクタ５０の壁部６４、６５の内面や案内傾斜面（矯正用傾斜面）９１４ｂ、９３４ｂが傾斜面１４５ａ、１４５ｂ、１４７ａ、１４７ｂと当接して、プラグコネクタ５０を案内することにより、回転ズレを矯正しやすくなる。よって、プラグコネクタ５０がリセプタクルコネクタ１１０に正対しやすくなるため、嵌合作業の効率を高めることができる。
さらに、壁部案内傾斜面１５５ａ、１５７ａ、１５５ｂ、１５７ｂを形成したことにより、プラグコネクタ５０の壁部６２の上面や案内部９１、９３が壁部案内傾斜面１５５ａ、１５７ａ、１５５ｂ、１５７ｂと当接することにより、位置ズレをより矯正しやすくなる。
つまり、プラグコネクタ５０の内側と外側両方から位置ズレを矯正することができ、極めて優れた位置ズレ矯正の効果を得ることが出来る。